(57)【要約】【課題】トラックの箱形荷室のドアの開放係止装置を外し易くかつ風などの外力によっては外れ難くする。【解決手段】ドアチェッカー１０は、ドア１に両端を固定した案内杆１２、一端部が該案内杆１２に摺動自在に嵌合しかつ他端部に前記留め具２０に係止するための外方に略Ｖ字状又は湾曲して開いた係止部１４ｃを備えた摺動杆１４からなり、前記留め具２０は、前記ドアチェッカーの前記係止片を受け入れるための平面視略Ｔ型の溝２２、２３を有し、前記留め具２０は、前記留め具２０の前記略Ｔ型の溝の底板部材２４、２５を備え、縦底板部材２５の幅は、前記係止部１４ｃの先端部の幅よりも狭く形成した。【選択図】          図３
2006169760.tif 000002
【特許請求の範囲】
【請求項１】
ドアを開放位置に保持するためのドアチェッカーと該ドアチェッカーを係止する留め具とからなるドア係止装置であって、
前記ドアチェッカーは、ドアに直接又は取付板を介してその両端を固定した案内部材、一端部が該案内部材に摺動自在に取り付けられかつ他端部に前記留め具に係止するための係止部を有する摺動杆を備え、該係止部は前記摺動杆の他端部から外方に略Ｖ字状又は湾曲して二股状に形成したものであり、前記留め具は、前記ドアチェッカーの前記係止部を受け入れるための横溝及び該横溝に連続した、前記係止部を抜け止め案内するための縦溝からなる略Ｔ型の溝を有することを特徴とするドア係止装置。
【請求項２】
請求項１に記載されたドア係止装置において、
前記留め具は、前記略Ｔ型の溝の溝底部分を構成するため、前記留め具の前記略Ｔ型の溝と間隔を隔てた底板部材を備え、かつ前記縦溝に対応する底板部材の底面の幅は、前記係止部の先端部の幅よりも狭く形成したことを特徴とするドア係止装置。
【発明の詳細な説明】
【技術分野】
【０００１】
本発明は、開いたドアを開放状態に保持しておくためのドア係止具に関し、とくに、トラックの箱形荷室等の荷物室のドアを開放状態に保持しておくためのドアチェッカー及び留め具からなるドア係止装置に関するものである。
【背景技術】
【０００２】
箱形荷室いわゆるアルミバンを備えた車両、つまり荷物運搬用トラックには、荷物の出し入れのためのドアが箱形荷室の後部等に設けられている。この後部ドアは、荷物の出し入れの際には、例えば両開きドアの一方又は両方を開放して箱形荷室側壁に開放状態で保持しておくために、ドア側にはドアチェッカーと称する金具が取り付けられると共に、箱形荷室の側面には留め具が取り付けられており、ドアチェッカーを留め具に掛け止めするようになっている。
【０００３】
図４は、特許文献に記載されたものではないが、従来のドア係止装置のドアチェッカーの斜視図であり、図５は、従来の留め具を示す斜視図である。また、図６はこのドアチェッカーを留め具に掛け止めを行う手順を示した斜視図であり、図７は、ドアチェッカーと留め具の係止状態における断面図である。
【０００４】
ドアチェッカー１０は、図４に示すように、例えば箱形荷室の後部に取付けたドア１のヒンジ取付側の反対側端部開き出し側の下端部近傍に取り付けられており、その構造は、ドア１に対する取付板１６と、この取付板１６に固着した金属製案内杆１２と、この案内杆１２に摺動自在に嵌合する金属製の摺動杆１４とからなり、摺動杆１４は、金属製案内杆１２に嵌合して案内されるループ状に形成された一端部１４ｂと、箱形荷室の側壁２に取り付けられた図５に示す留め具２０の溝２３に掛け止めするため横方向に水平に突出した一対の係止部１４ｃを他端部に有し全体がループを備えた略Ｔ字状に形成されている。
【０００５】
留め具２０は細幅状の金属片からなり、箱形荷室の側壁２に取り付けるための取付片２８がその両端に折り曲げ形成され、かつその両端間に平らな中間部２６が形成されている。この中間部２６には摺動杆１４の前記係止部１４ｃを挿入するための溝２２及び挿入した係止部１４ｃを下方に案内する溝２４からなる略Ｔ状の溝が打ち抜き又は切断により形成されている。
【０００６】
図６は、以上説明したドアチェッカー１０を同留め具２０に係止する過程を説明する図であり、図６Ａは、ドアチェッカー１０を留め具２０の横溝２２に挿入する様子を示した分解斜視図、図６Ｂは、ドアチェッカー１０の摺動杆１４が留め具２０の縦溝２３中で係合位置に向かって降下しつつある状態を示す分解斜視図である。
即ち、図６Ａに示す状態では、ループ状部１４ｂが案内杆１２に嵌合した摺動杆１４を手で持って、その他端に設けた係止部１４ｃを前記留め具２０の横溝２２から留め具２０内に挿入する状態を示している。摺動杆１４を留め具２０中に挿入した後に離すと、摺動杆１４はその自重で案内杆１２に沿って下降し、その先端の係止部１４ｃは前記縦溝２４中を下降する。この降下中の状態を示したのが図６Ｂである。
【０００７】
図７は、摺動杆１４が案内杆１２に沿って下降して係止位置になった状態を示す断面図である。
この場合、摺動杆１４は案内杆１２に沿った最下方位置で停止しており、その先端部の係止部１４ｃは、留め具２０の縦溝２３中で箱形荷室の壁２に当接して停止している。
ところで、この従来のドアチェッカー１０は、図７に示す係止位置から摺動杆１４を持ち上げて留め具２０の横溝２２から外す場合、そもそも摺動杆１４は案内杆１２と緩く嵌合しているため姿勢が安定せず、従って、その係止部１４ｃの側端が前記横溝２２の左右のいずれかの縁端壁に引っかかり易く、そのため外し難いという問題がある。
また、ドアチェッカー１０をドアを留め具２０に係止している状態では、風などによりドア１を箱形荷室の側壁２から引き離すように作用する力に対しては、ドアチェッカー１０を留め具２０に対して相対的に低めに配置することでドアチェッカーが留め具２０から外れるのを防止できるが、逆にドア１を箱形荷室の側壁２に押し付けるような力が作用すると、取付板１６が摺動杆１４のループ状部１４ｂに当たって、ドアチェッカー１０の摺動杆１４の係止部１４ｃが図７の状態から上に押し上げられるため、外れ易くなるという問題がある。
【発明の開示】
【発明が解決しようとする課題】
【０００８】
本発明は、以上のような従来の問題点に鑑みなされたものであって、その目的は、従来のドアチェッカーに比して外し易くすると共に、風などの意図せぬ外力によっては外れ難いようにしたドアチェッカーを提供することである。
【課題を解決するための手段】
【０００９】
請求項１の発明は、ドアを開放位置に保持するためのドアチェッカーと該ドアチェッカーを係止する留め具とからなるドア係止装置であって、
前記ドアチェッカーは、ドアに直接又は取付板を介してその両端を固定した案内部材、一端部が該案内部材に摺動自在に取り付けられかつ他端部に前記留め具に係止するための係止部を有する摺動杆を備え、該係止部は前記摺動杆の他端部から外方に略Ｖ字状又は湾曲して二股状に形成したものであり、前記留め具は、前記ドアチェッカーの前記係止部を受け入れるための横溝及び該横溝に連続した、前記係止部を抜け止め案内するための縦溝からなる略Ｔ型の溝を有することを特徴とする。
請求項２の発明は、請求項１に記載されたドア係止装置において、前記留め具は、前記略Ｔ型の溝の溝底部分を構成するため、前記留め具の前記略Ｔ型の溝と間隔を隔てた底板部材を備え、かつ前記縦溝に対応する底板部材の底面の幅は、前記係止部の先端部の幅よりも狭く形成したことを特徴とする。
【発明の効果】
【００１０】
本発明によれば、ドア係止装置において留め具に係止する摺動杆の係止部をドアチェッカーの前記摺動杆の前記他端部から外方に略Ｖ字状又は湾曲して開いた構成としたため、係止部を留め具の溝から外すときに溝の縁に引っかかることがなく、前記摺動杆を引き出すことにより、前記略Ｖ字状又は湾曲部分の外面が溝に当たることでスムースに引き出すことができる。
また、留め具に溝表面から所定の間隔を隔てて底板部材を備え、かつ前記縦溝に対応する底板部材の底面の幅を前記係止部の先端部の幅よりも狭く形成したため、例えば開いたドアが風にあおられて留め具側に押されて摺動杆の係止部が上動しても、その略Ｖ字状又は湾曲して開いた先端部間が前記横溝に対応する底板部分に衝接して、それ以上の上動が阻止されるため、従来のように、ドアが留め具側（留め具を取付けた壁側）に当たったときの衝撃で摺動杆が上動して留め具の溝から飛び出してしまうことがない。
【発明を実施するための最良の形態】
【００１１】
本発明を添付する図面を参照した説明する。
図１は、本発明のドア係止装置の１実施形態に係る留め具の斜視図であり、図２はドアチェッカー１０の摺動杆１４を示し、図２Ａはその係止部が摺動杆１４の端部から係止部１４ｃが外方にＶ字状又は二股状に突出して形成された実施例を、また、図２Ｂは、その係止部１４ｃが摺動杆１４の端部から外方に湾曲して突出して二股状に形成された実施例を示す正面図である。また、図３は、ドア係止装置全体を示す断面図である。
【００１２】
本実施形態による留め具２０は、図１に示すようにその長手方向両端部の取付部２８と、この取付部２８から所定の距離だけ離れるように段差を付けて折曲して形成し、かつその表面に全体として略Ｔ字状に切り欠いた横溝２２と縦溝２３を備えた前記端部間の中間部２６（図３参照）とからなっており、かつ中間部２６にはその両側部に、留め具２０をトラックの箱形荷室の側壁２に取付けたとき、その側面を覆うようにして前記中間部２６の補強となる翼部２１が設けられている。また、前記横溝２２と縦溝２３の底面を構成する横底板部材２４及び縦底板部材２５からなる略Ｔ字型の底板部材が前記各溝２２、２３に沿って設けられており、前記中間部表面から前記底板部材までの距離が、同前記箱形荷室の側壁２の取付面までの距離よりも短くなるように設定されている。なお、２８ａは留め具２０の一対の取付穴を示す。また、前記翼部２１は必ずしも必要ではなく、図示する従来例のように翼部を持たない構成とすることもできる。
【００１３】
図２Ａに示す摺動杆１４は、図中上端部の一対の係止部１４ｃが正面視でＶ字状又は二股状に分岐して上方に拡がる形状であり、図２Ｂの摺動杆１４では上端部の係止部１４ｃが湾曲して上方に拡がる二股状の形状をしている。
摺動杆１４の係止部をこのような形状にしたことにより、摺動杆１４を留め具２０の横溝２２から外すときに、その外側面が横溝２２の横縁端壁に当たっても、摺動杆１４は、前記Ｖ字状の傾斜又は湾曲面にガイドされて容易に横溝２２から外すことができる。
なお、ドアチェッカー１０については、前記係止部１４の形状以外は従来のものと基本的に同じであるが、案内杆は図４に示す取付板を用いずにドアに直接取り付けるようにしてもよい。
【００１４】
図３に示すドアの係止状態では、摺動杆１４はループ状に形成されたループ状１４ｂが案内杆１２に沿ってその下端位置まで下降しており、他方、その係止部１４ｃは、留め具２０の縦溝２３に沿って下降し図３に示すようにそのＶ状に開くか湾曲した係止部１４ｃはその先端部の近傍内側が前記縦底板部材２５の縁に接触して止まっている。
【００１５】
従って、この状態で例えば風などによりドア１を更に側壁２に接近させるような外力が加わると、摺動杆１４はドアチェッカー１０の取付板１６に押される結果、縦底板部材２５に係合したままそれに沿って上動するが、横溝２２に対応する横底板部材２４が縦底板部材２５の上端から横方向に延びているため、摺動杆１４の先端部は横底板部材２４の下縁に衝接してそれ以上の上動が阻止される。
即ち、風などの外力でドア１が箱形荷室の側壁２側に押されても、摺動杆１４は横底板部材２４により上動が阻止されるため、風などの意図しない外力でドア１が箱形荷室の側壁２側に押されても、従来のようにその衝撃で摺動杆１４が留め具２０から飛び出して外れることが完全に防止できる。
【００１６】
留め具２０の横底板部材２４、縦底板部材２５は、金属板からなるブランクを例えばプレス成形する際に、略Ｔ字型の溝を成型する際に同時に絞り加工するのが最も簡便な製造法であるが、留め具２０の略Ｔ字型の溝２２、２３を打ち抜き成型した後に、別途形成した同様に略Ｔ字型に形成した底板部材２４，２５を、取付部で留め具本体に溶接等により一体に接合してもよい。
【００１７】
以上の実施形態では、本発明の実施形態に係るドアチェッカーを同様に本発明の実施形態に係る留め具に係止するドア係止装置について説明したが、前記ドアチェッカーは従来の留め具に適用することもできる。
即ち、摺動杆の前記Ｖ字状又は湾曲した形状の係止部を従来の留め具の溝から外す場合でも、横溝の縁に引っかかることがなく、前記摺動杆を引き出すことにより、前記略Ｖ字状又は湾曲部分の外面が溝に当たることでスムースに引き出すことができる。
また、ドア係止装置の材質は金属以外のものであっても、強度が確保できれば任意である。
【図面の簡単な説明】
【００１８】
【図１】本発明のドア係止装置の実施形態に係る留め具の斜視図である。
【図２】摺動杆の平面図である。
【図３】ドア係止状態におけるドア係止装置の側断面図である。
【図４】従来のドア係止装置のドアチェッカーの斜視図である。
【図５】従来の留め具の斜視図である。
【図６】従来のドアチェッカーを留め具に係止する手順を示した斜視図である。
【図７】従来のドアチェッカーと留め具の係止状態における断面図である。
【符号の説明】
【００１９】
１・・・ドア、２・・・箱形荷室、１０・・・ドアチェッカー、１２・・・案内杆、１４・・・摺動杆、１４ａ・・・中間部、１４ｂ・・・ループ状部、１４ｃ・・・係止部、２０・・・留め具、２１・・・翼部、２２・・・横溝、２３・・・縦溝、２４・・・横底板部材、２５・・・縦底板部材、２６・・・留め具中間部、２８・・・留め具取付部、
【図１】
2006169760.tif 000003
【図２】
2006169760.tif 000004
【図３】
2006169760.tif 000005
【図４】
2006169760.tif 000006
【図５】
2006169760.tif 000007
【図６】
2006169760.tif 000008
【図７】
2006169760.tif 000009